(57)【要約】【目的】  音声遅延あるいは音声品質の劣化を低減する電話交換方法及びシステムを提供する。【構成】  電話端末間を交換する電話交換方法であり、呼接続要求に応じて、電話網を介して該電話端末間を呼接続し、該電話端末間に該電話網を介した通話路を設定する。次いで、該通話路を切断する一方、該ＩＰ電話端末間にＩＰ網を介した通話路を設定し、該ＩＰ網を介した通話路を通して音声信号を送受信する。【選択図】  図３Ａ
2005318178.tif 000002
【特許請求の範囲】
【請求項１】
ＩＰ電話端末間の接続をなす電話交換方法であって、
呼接続要求に応じて、電話網を介して前記ＩＰ電話端末間を呼接続し、前記ＩＰ電話端末間に前記電話網を介した通話路を設定する第１通話路設定ステップと、
前記通話路を切断する一方、前記ＩＰ電話端末間にＩＰ網を介した通話路を設定する第２通話路設定ステップと、
前記ＩＰ網を介した通話路を通して音声信号を送受信する音声送受信ステップと、
を含むことを特徴とする電話交換方法。
【請求項２】
前記第２通話路設定ステップは、前記ＩＰ電話端末の各々に割り振られたＩＰアドレスを用いて前記ＩＰ電話端末の各々にその相手先を設定するＩＰアドレス設定ステップと、前記ＩＰ電話端末の各々に同一の音声信号圧縮方式を設定する音声圧縮方式設定ステップと、を含み、
前記音声送受信ステップは、前記ＩＰ電話端末の各々において、前記相手先ＩＰアドレスに向けて前記音声圧縮方式により圧縮された音声パケットを送信するステップと、前記相手先ＩＰアドレスから前記音声圧縮方式により伸長され得る音声パケットを受信するステップと、を含むことを特徴とする請求項１記載の電話交換方法。
【請求項３】
前記第２通話路設定ステップは、ＩＰ網を介した通話路の設定要求に応じたステップであることを特徴とする請求項１記載の電話交換方法。
【請求項４】
前記ＩＰ網を介した通話路の設定要求は、前記ＩＰ電話端末間の呼接続の確立又はハンドオーバを契機とする要求であることを特徴とする請求項３記載の電話交換方法。
【請求項５】
前記音声圧縮方式設定ステップは、前記ＩＰ電話端末の各々において共に利用可能な音声圧縮方式のうちから１を設定するステップであることを特徴とする請求項２記載の電話交換方法。
【請求項６】
前記音声圧縮方式設定ステップは、前記ＩＰ電話端末の各々において共に利用可能な音声圧縮方式のうちから、前記ＩＰ電話端末の何れか１が指定する音声圧縮方式に設定するステップであることを特徴とする請求項５記載の電話交換方法。
【請求項７】
前記第２通話路設定ステップは、前記ＩＰ電話端末の各々を収容する複数のＰＢＸ間で、前記ＩＰ網に通話路を設定するためのメッセージを交換するステップと、前記メッセージの到来を所定時間の間で監視するステップと、前記メッセージが前記所定時間内に到来しない場合に、前記ＩＰ網を介した通話路の設定を中止するステップと、をさらに含むことを特徴とする請求項１記載の電話交換方法。
【請求項８】
前記第２通話路設定ステップは、前記ＩＰ電話端末の各々を収容する複数のＰＢＸの各々において、前記ＩＰ網に通話路を設定するため必要な周波数帯域の確保を少なくとも含むリソース捕捉ステップを含み、前記リソース捕捉が不良の場合に、前記ＩＰ網を介した通話路の設定を中止するステップと、をさらに含むことを特徴とする請求項１記載の電話交換方法。
【請求項９】
前記ＩＰ網を介した通話路を切断し、前記ＩＰ電話端末間に電話網を介した通話路を再度設定するステップをさらに含むことを特徴とする請求項１記載の電話交換方法。
【請求項１０】
少なくとも２つのＩＰ電話端末と、前記ＩＰ電話端末の各々を収容する少なくとも２つのＰＢＸ装置とを含む電話交換システムであって、
前記ＰＢＸ装置の各々は、呼接続要求に応じて、電話網を介して前記ＩＰ電話端末間を呼接続し、前記電話網を介した通話路を前記ＩＰ電話端末間に設定する第１通話路設定手段と、前記通話路を切断する一方、前記ＩＰ電話端末間にＩＰ網を介した通話路を設定する第２通話路設定手段と、を含み、
前記ＩＰ電話端末の各々は、前記ＩＰ網を介した通話路を通して前記ＩＰ電話端末間で音声信号を送受信する音声送受信手段を含むことを特徴とする電話交換システム。
【請求項１１】
前記第１通話路設定手段は、前記電話網のＤチャネルを介して、前記通話路の設定をなすことを特徴とする請求項１０記載の電話交換システム。
【請求項１２】
前記第２通話路設定手段は、前記電話網のＤチャネルを介して、ＦＡＣメッセージを交換することにより前記通話路を設定することを特徴とする請求項１０記載の電話交換システム。
【発明の詳細な説明】
【技術分野】
【０００１】
本発明は、ＩＰ−ＰＢＸ等の構内電子交換機を介してＩＰ電話端末間の接続をなす電話交換方法及びシステムに関する。
【背景技術】
【０００２】
従来、ＩＰ−ＰＢＸに収容されるＩＰ電話端末が、他のＩＰ−ＰＢＸに収容されているＩＰ電話端末と接続する場合、２つのＩＰ−ＰＢＸ間に専用線を用いて接続する形態がある。図１を参照すると、かかる形態における呼接続のシーケンスを説明している。ここで、第１電話端末１ａからの発呼を契機として、第１ＰＢＸ装置２ａ、ＰＢＸ中継局４及び第２ＰＢＸ装置２ｂを介して第２電話端末１ｂに対する呼設定手順（SETUP）と、これに応じた呼設定受付手順（CALL PROC）が実行される。第２電話端末１ｂへの呼び出しは、呼び出し中（ALER）として発呼側に戻されると共に、呼び出し音送出（PBT送出）が第１電話端末１ａに向けてなされる。第２電話端末１ａにおけるオフフックを契機とする応答手順（CONN）が第２ＰＢＸ装置２ｂ、中継局４及び第１ＰＢＸ装置２ａを介して第１電話端末１ａに対して実行される。これにより、第１電話端末１ａと第２電話端末１ｂとの間の複数リンク接続が可能となる。本明細書で言う複数リンク接続とは、複数の電話交換機あるいは中継局の如く複数個の通信ノードを順次接続した接続形態を意味する。
【発明の開示】
【発明が解決しようとする課題】
【０００３】
しかし、かかる複数リンク接続の場合では、第１電話端末１ａと第１ＰＢＸ装置２ａとの間で音声パケット化及び伸張圧縮、次いで第１ＰＢＸ装置２ａと第２ＰＢＸ装置２ｂとの間で音声パケット化及び伸張圧縮、そして第２ＰＢＸ装置２ｂと第２電話端末１ｂとの間で音声パケット化及び伸張圧縮と何度も音声パケット化を繰り返し行うことになる。そのため、全体として、第１電話端末１ａと第２電話端末１ｂとの間の通話では音声遅延あるいは音声品質の劣化が大きく発生するという問題がある。
【０００４】
本発明は、かかる問題に鑑みてなされたものであり、その目的は、音声遅延あるいは音声品質の劣化を低減する電話交換方法及びシステムを提供することである。
【課題を解決するための手段】
【０００５】
本発明による電話交換方法は、ＩＰ電話端末間を交換する電話交換方法であり、呼接続要求に応じて、電話網を介して該ＩＰ電話端末間を呼接続し、該ＩＰ電話端末間に該電話網を介した通話路を設定する第１通話路設定ステップと、該通話路を切断する一方、前記ＩＰ電話端末間にＩＰ網を介した通話路を設定する第２通話路設定ステップと、該ＩＰ網を介した通話路を通して音声信号を送受信する音声送受信ステップとを含むことを特徴とする。
【０００６】
本発明による電話交換システムは、少なくとも２つのＩＰ電話端末と、該ＩＰ電話端末の各々を収容する少なくとも２つのＰＢＸ装置とを含む電話交換システムであり、該ＰＢＸ装置の各々は、呼接続要求に応じて、電話網を介して該ＩＰ電話端末間を呼接続し、該電話網を介した通話路を該ＩＰ電話端末間に設定する第１通話路設定手段と、該通話路を切断する一方、前記ＩＰ電話端末間にＩＰ網を介した通話路を設定する第２通話路設定手段と、を含み、該ＩＰ電話端末の各々は、該ＩＰ網を介した通話路を通して該ＩＰ電話端末間で音声信号を送受信する音声送受信手段を含むことを特徴とする。
【発明の効果】
【０００７】
本発明による電話交換方法によれば、電話網を介して設定され呼接続を維持したまま通話路すなわちパスをＩＰネットワークにより形成されるパスに張り替える構成が与えられる。これにより、呼接続をなす電話端末間はＩＰネットワークを介して１リンクで接続されることから、音声圧縮及び伸長処理の各々が１回だけ行われる１リンク通話が達成される。これにより、音声遅延あるいは音声品質の劣化を低減することが可能となる。
【発明を実施するための最良の形態】
【０００８】
本発明の実施例について添付の図面を参照して詳細に説明する。
【０００９】
図２は、本発明の実施例であり、電話交換システムの構成を示している。ここで、第１電話端末１ａは、第１ＰＢＸ装置２ａに収容されるＩＰ電話端末である。第１電話端末１ｂは、第２ＰＢＸ装置２ｂに収容されるＩＰ電話端末である。第１ＰＢＸ装置２ａ及び第２ＰＢＸ装置２ｂの各々の間は電話網すなわち専用線３０ａ及び３０ｂによりＰＢＸ中継局４０に繋がれている。第１電話端末１ａ及び第１ＰＢＸ装置２ａは、ＬＡＮ１５ａを介してＩＰネットワーク５０に繋がれている。また、第２電話端末１ｂ及び第２ＰＢＸ装置は、ＬＡＮ１５ｂを介してＩＰネットワーク５０に繋がれている。
【００１０】
専用線３０ａ及び３０ｂは、在来のＩＳＤＮの如きデジタル電話回線であり、音声信号を伝送する複数のＢチャネルと、呼制御信号等の制御信号を伝送するＤチャネル共通線を有する電話網である。ＩＰネットワーク５０は、ＩＰプロトコル（Internet Protocol）によりパケットデータを交換するＩＰ網であり、ＩＰ−ＶＰＮ等のネットワークが想定される。尚、変形例として、専用線３０ａ及び３０ｂに代えて、ＩＰネットワーク５０を一旦経由するＩＳＤＮプロトコルを使用した複数のＩＰ専用線が用いられても良い。また、本実施例においては、１つのＰＢＸ装置に１つ電話端末が収容されている例が示されているが、本発明にはかかる限定はなく、複数の電話端末を収容するＰＢＸ装置が複数台備えられる構成が視野に入れられている。
【００１１】
図３Ａは、電話交換システムにおいて実行される電話交換方法における正常時の処理手順を示している。本図に示される処理手順について図２に示される構成要素を適宜参照して説明する。
【００１２】
第１電話端末１０ａと第２電話端末１０ｂとは、第１ＰＢＸ装置２０ａ、ＰＢＸ中継局４０及び第２ＰＢＸ装置２０ｂを介して複数リンクの通話を行っている（ステップＳ０１）。複数リンクによる通話は、図１に示した如く従来の呼接続手順を用いて達成され得る。ここで、１リンクの通話が要求されたとする。１リンクの通話の要求は、例えば、呼接続要求それ自体を契機として、呼接続が発生する毎に常に１リンク通話を予定する形態が考えられる。また、電話端末が無線端末である場合に、ハンドオーバすなわちアクセス局間のアンテナ切換が発生する際に１リンク通話の要求が発生したとすることも可能である。
【００１３】
先ず、第２ＰＢＸ装置２０ｂが、１リンク接続の可能性を判定する（ステップＳ０２）。１リンク接続の可能性があると判定した第２ＰＢＸ装置２０ｂは、次いで、１リンク開始要求メッセージをＰＢＸ中継局４０に送信する（ステップＳ０３）。これに応じて、ＰＢＸ中継局４０は、１リンク開始要求メッセージを第１ＰＢＸ装置２０ａに送信する（ステップＳ０４）。
【００１４】
該１リンク開始要求メッセージの受信に応じて第１ＰＢＸ装置２０ａは、１リンク通話の可能性を判定する（ステップＳ０５）。次いで、第１ＰＢＸ装置２０ａは、圧縮方式の種別を判定し、リソースの捕捉を行う（ステップＳ０６）。ここで、リソースの捕捉とは、通話路の周波数帯域確保を少なくとも含む資源の確保を意味する。次いで、第１ＰＢＸ装置２０ａは、１リンク張替実行メッセージをＰＢＸ中継局４０に送信する（ステップＳ０７）。これに応じて、ＰＢＸ中継局４０は、１リンク張替実行メッセージを第２ＰＢＸ装置２０ｂに送信する（ステップＳ０８）。
【００１５】
該１リンク張替実行メッセージを受信した第２ＰＢＸ装置２０ｂは、リソースの捕捉を行う（ステップＳ０９）。次いで、第２ＰＢＸ装置２０ｂは、その結果をＯＫメッセージとしてＰＢＸ中継局４０に送信する（ステップＳ１１）。これに応じて、ＰＢＸ中継局４０はＯＫメッセージを第１ＰＢＸ装置２０ａに送信する（ステップＳ１２）。
【００１６】
該ＯＫメッセージの受信に応じて、第１ＰＢＸ装置２０ａは、その収容する第１電話端末１０ａに、相手先である第２電話端末１０ｂのＩＰアドレスと用いるべき圧縮方式を指定する情報とを含むパスオーダを送信する（ステップＳ１３）。一方、第２ＰＢＸ装置２０ｂも、その収容する第２電話端末１０ｂに、相手先である第１電話端末１０ａのＩＰアドレスと用いるべき圧縮方式を指定する情報とを含むパスオーダを送信する（ステップＳ１１）。
【００１７】
以上の結果、第１電話端末１０ａ及び第２電話端末１０ｂとの間で互いに相手先のＩＰアドレスを指定し且つ同一の圧縮方式を用いた１リンク通話が行われる（ステップＳ１４）。
【００１８】
図３Ｂは、電話交換システムにおいて実行される電話交換方法における正常時の更なる処理手順を示している。ここで、第１電話端末１０ａと第２電話端末１０ｂとは、図３Ａに示される処理手順により、第１ＰＢＸ装置２０ａ、ＰＢＸ中継局４０及び第２ＰＢＸ装置２０ｂを介して１リンクの通話を行っている（ステップＳ１４）ものとする。本図は、かかる状況において、１リンク通話から複数リンクに復帰する処理手順を示している。
【００１９】
先ず、第１ＰＢＸ装置２０ａが、複数リンク張替実行メッセージをＰＢＸ中継局４０に送信する（ステップＳ１５）。次いで、第１ＰＢＸ装置２０ａは、電話端末１０ａに複数リンク復帰の旨のパスオーダ送信し（ステップＳ１６）、ＩＰネットワークを介する１リンク通話のために捕捉したリソースを解放する（ステップＳ１７）。
【００２０】
一方、第１ＰＢＸ装置２０ａから複数リンク張替実行メッセージを受信したＰＢＸ中継局４０は、複数リンク張替実行メッセージを第２ＰＢＸ装置２０ｂに送信する（ステップＳ１８）。これに応じて、第２ＰＢＸ装置２０ｂは、同様に、電話端末１０ｂに複数リンク復帰の旨のパスオーダ送信し（ステップＳ１９）、ＩＰネットワークを介する１リンク通話のために捕捉したリソースを解放する（ステップＳ２０）。以上の結果、第１電話端末１０ａ及び第２電話端末１０ｂとの間は、１リンク通話から複数リンク通話に復帰する（ステップＳ２１）。
【００２１】
図４は、図１に示される第１ＰＢＸ装置と第２ＰＢＸ装置間で交換される制御メッセージの構成を説明している。第１ＰＢＸ装置と第２ＰＢＸ装置間で交換される制御メッセージの構成及びその交換手順は１つのプロトコルを構成し、基本通話呼である複数リンク通話中から１リンク通話中へのパス張替を可能とするプロトコルである。かかるプロトコルのための制御メッセージは、Ｄチャネル共通線を介して交換されるものとし、ＪＳ−１１５８２付録Ｆの「製造者特有情報の使用方法の例」に規定される如きファシリティ（FAC）信号を製造者特有情報として策定することより構成され得る。
【００２２】
本実施例では、かかる制御メッセージは、オペレーションメッセージ６１と、ＯＫメッセージ６２と、ＮＧメッセージ６３とから構成されるものとしている。オペレーションメッセージ６１は、オペレーションを指示するオペレーションメッセージである旨の識別子６２と、オペレーション６３と、アーギュメント６４とから構成される。オペレーション６３はオペレーション値を含み、これは例えば０ｘ０００１〜０ｘ０００３の各値をとる。「０ｘ０００１」は「１リンク開始要求メッセージ」であることを示し、「０ｘ０００２」は「１リンク張替実行メッセージ」であることを示し、「０ｘ０００３」は、「複数リンク張替実行メッセージ」であることを示している。
【００２３】
アーギュメント６４は、電話端末種別、ＩＰアドレス、音声用ポート番号、ＦＡＸ用ポート番号、圧縮種別情報、ＰＡＤ情報を含む。圧縮種別情報は、１リンク開始要求時（すなわちオペレーション値が０ｘ０００１の時）には、優先圧縮種別、優先送信周期及び可能圧縮種別を指定する情報を含む。また、圧縮種別情報は、張替実行時（すなわちオペレーション値が０ｘ０００２の時）には、決定圧縮種別、決定送信周期を含む。
【００２４】
ＯＫメッセージ６５は、ＯＫメッセージである旨を示す識別子６６を含む。ＯＫメッセージ６５は、そのメッセージ送信自体にＯＫすなわち確認応答の旨を意味するメッセージである。ＮＧメッセージ６７は、エラーの発生を通知するＮＧメッセージである旨を表す識別子６８と、エラー番号６９とから構成される。エラー番号６９は、例えば、１０００乃至１００４の値をとる。「１００１」はシステムフラグによる規制又は既存端末であることによるサービス不可を示し、「１００２」は通話路の帯域捕捉が不可であることによるリソース捕捉が不成功である旨を示し、「１００３」は、圧縮方式を調停する際のネゴシエーションが不成功である旨を示し、「１００４」は、再試行により成功の可能性のある状態不一致等の一時的失敗による不良である旨を示し、「１０００」は、その他の不具合を示している。
【００２５】
図５は、図３Ａに示される処理手順における圧縮方式を決定する処理手順を示している。本図は、要求局側（ＰＢＸ２０ｂ）からの１リンク開始要求に応じて、協力局（ＰＢＸ２０ａ）が主体となって行う音声パケットの圧縮方式決定の処理を示している。決定の対象となる圧縮方式としては、例えば、ＩＴＵ勧告規格Ｇ．７１１、Ｇ．７２９ａ、Ｇ．７２３．１、Ｇ．７２３．１（６．３Ｋ）及びＧ．７２３．１（５．３Ｋ）が挙げられる。
【００２６】
先ず、協力局（ＰＢＸ２０ａ）は、要求局側（ＰＢＸ装置２０ｂ）からそれが収容する電話端末の優先圧縮方式及び選択可能圧縮方式を指定する１リンク開始要求を受信する（ステップＳ７１）。次いで、要求局側電話端末の優先圧縮方式と、自局側電話端末の優先圧縮方式とが一致するか否かを判定する（ステップＳ７２）。もし一致する場合には、当該一致する優先圧縮方式を使用圧縮方式に決定する（ステップＳ７３）。一方、一致しない場合には、局データにより優先度の高い電話端末の優先圧縮方式を用いると仮決定する（ステップＳ７４）。
【００２７】
次に、協力局（ＰＢＸ２０ａ）は、仮決定された優先圧縮方式が両方の電話端末の選択可能圧縮方式であるか否かを判定する（ステップＳ７５）。もし、両方の電話端末の選択可能圧縮方式である場合には、当該仮決定された優先圧縮方式を使用圧縮方式に決定する（ステップＳ７９）。一方、両方の電話端末の選択可能圧縮方式でない場合には、他方の電話端末の優先圧縮方式を用いると仮決定する（ステップＳ７６）。次いで、再度、仮決定された優先圧縮方式が両方の電話端末の選択可能圧縮方式であるか否かを判定する（ステップＳ７７）。もし、両方の電話端末の選択可能圧縮方式である場合には、当該仮決定された優先圧縮方式を使用圧縮方式に決定する（ステップＳ７９）。一方、両方の電話端末の選択可能圧縮方式でない場合には、１リンク通話を断念して処理を中止する（ステップＳ７８）。
【００２８】
以上の処理手順の結果、協力局（ＰＢＸ２０ａ）は、決定された圧縮方式を要求局（ＰＢＸ２０ｂ）に応答することにより、協力局ＰＢＸ２０ａが収容する電話端末１０ａと要求局ＰＢＸ２０ｂが収容する電話端末１０ｂとが決定された圧縮方式を用いて１リンク通話を行う。一方、１リンク通話を断念して処理を中止した場合には、協力局（ＰＢＸ２０ａ）は、ＮＧメッセージを要求局（ＰＢＸ２０ｂ）に応答することにより、システム全体として１リンク通話を断念して、複数リンクの通話を継続することになる。
【００２９】
図６Ａは、電話交換システムにおいて実行される電話交換方法における変形例であり、異常時の処理手順を示している。本図は、第２ＰＢＸ装置２０ｂすなわち１リンク要求局側において、１リンク開始要求メッセージに対する応答待ちの状態がタイムアウトした場合の処理手順を示している。本図に示される処理手順について図２に示される構成要素を適宜参照して説明する。
【００３０】
第１電話端末１０ａと第２電話端末１０ｂとは、第１ＰＢＸ装置２０ａ、ＰＢＸ中継局４０及び第２ＰＢＸ装置２０ｂを介して複数リンクの通話を行っている（ステップＳ３１）。複数リンクによる通話は、図１に示した如く従来の呼接続手順を用いて達成され得る。
【００３１】
先ず、第２ＰＢＸ装置２０ｂが、１リンク接続の可能性を判定すると共に、１タイマＴ１を起動する（ステップＳ３２）。タイマＴ１の設定時間は例えば３秒とする。１リンク接続の可能性があると判定した第２ＰＢＸ装置２０ｂは、次いで、リンク開始要求メッセージをＰＢＸ中継局４０に送信する（ステップＳ３３）。これに応じて、ＰＢＸ中継局４０は、１リンク開始要求メッセージを第１ＰＢＸ装置２０ａに送信する（ステップＳ３４）。
【００３２】
該１リンク開始要求メッセージ受信に応じて第１ＰＢＸ装置２０ａは、１リンク通話の可能性を判定する（ステップＳ３５）。次いで、第１ＰＢＸ装置２０ａは、圧縮方式の種別を判定し、リソースの捕捉を行う（ステップＳ３６）。さらに、第１ＰＢＸ装置２０ａはタイマＴ２を起動する（ステップＳ３６’）。タイマＴ２の設定時間は例えば４秒とする。次いで、第１ＰＢＸ装置２０ａは、１リンク張替実行メッセージをＰＢＸ中継局４０に送信する（ステップＳ３７）。これに応じて、ＰＢＸ中継局４０は、１リンク張替実行メッセージを第２ＰＢＸ装置２０ｂに送信する（ステップＳ３８）。該１リンク張替実行メッセージは、処理遅延又は伝送遅延のために第２ＰＢＸ装置２０ｂにある程度遅れて到達したものとする。
【００３３】
一方、ステップＳ３２においてタイマを起動していた第２ＰＢＸ装置２０ｂが、タイマ設定時間の到来に応じて、該タイマ設定時間内に第１ＰＢＸ装置２０ｂからの応答がなかったと判断し、１リンク処理を中止する（ステップＳ３９）。次いで、第２ＰＢＸ装置２０ｂは、複数リンク張替実行メッセージをＰＢＸ中継局４０に送信する（ステップＳ４０）。これに応じて、ＰＢＸ中継局４０は複数リンク張替実行メッセージを第１ＰＢＸ装置２０ａに送信する（ステップＳ４１）。尚、第１ＰＢＸ装置２０ａからの１リンク張替実行メッセージを遅れて受信した第２ＰＢＸ装置２０ｂはこのメッセージを破棄する。
【００３４】
以上の結果、第１電話端末１０ａ及び第２電話端末１０ｂとの間で１リンク通話が中止され、従前の複数リンクの通話が継続される。
【００３５】
図６Ｂは、電話交換システムにおいて実行される電話交換方法における変形例であり、異常時の更なる処理手順を示している。本図は、第１ＰＢＸ装置２０ａすなわち１リンク協力局側において、１リンク張替実行メッセージに対する応答待ちの状態がタイムアウトした場合の処理手順を示している。本図に示される処理手順について図２に示される構成要素を適宜参照して説明する。
【００３６】
前提として、第１電話端末１０ａと第２電話端末１０ｂとは、第１ＰＢＸ装置２０ａ、ＰＢＸ中継局４０及び第２ＰＢＸ装置２０ｂを介して複数リンクの通話を行っている。この状態から、第２ＰＢＸ装置２０ｂが、リンク開始要求メッセージをＰＢＸ中継局４０に送信し、これに応じて、ＰＢＸ中継局４０が１リンク開始要求メッセージを第１ＰＢＸ装置２０ａに送信し、これに応じて第１ＰＢＸ装置２０ａは１リンク通話の可能性を判定するとする（図６ＡにおけるステップＳ３１乃至Ｓ３５参照）。
【００３７】
この時点で図６Ｂに示されるように、第１ＰＢＸ装置２０ａは、圧縮方式の種別を判定し、リソースの捕捉を行う（ステップＳ３６）。さらに、第１ＰＢＸ装置２０ａは、タイマＴ２を起動する（ステップＳ３６’）。タイマＴ２の設定時間は例えば４秒とする。次いで、第１ＰＢＸ装置２０ａは、１リンク張替実行メッセージをＰＢＸ中継局４０に送信する（ステップＳ３７）。これに応じて、ＰＢＸ中継局４０は、１リンク張替実行メッセージを第２ＰＢＸ装置２０ｂに送信する（ステップＳ３８）。
【００３８】
該１リンク張替実行メッセージを受信した第２ＰＢＸ装置２０ｂは、リソースの捕捉を行い（ステップＳ３９）、第２電話端末１０ｂに１リンクの通話へのパス張替の旨のパスオーダを送信する（ステップＳ４０）。尚、この時点では、第２電話端末１０ｂと第２ＰＢＸ装置２０ｂとが１リンク通話を前提として動作するが、第１電話端末１０ａからは無音状態として認識される。次いで、第２ＰＢＸ装置２０ｂは、ＯＫメッセージをＰＢＸ中継局４０に送信する（ステップＳ４１）。これに応じて、ＰＢＸ中継局４０はＯＫメッセージを第１ＰＢＸ装置２０ａに送信する（ステップＳ４２）。該ＯＫメッセージは、処理遅延又は伝送遅延のために第２ＰＢＸ装置２０ａにある程度遅れて到達したものとする。
【００３９】
一方、ステップＳ３６’においてタイマを起動していた第１ＰＢＸ装置２０ａが、タイマ設定時間の到来に応じて、該タイマ設定時間内に第２ＰＢＸ装置２０ａからの応答がなかったと判断し、１リンク処理を中止し、１リンク通話のために捕捉したリソースを解放する（ステップＳ４３）。次いで、第１ＰＢＸ装置２０ａは、複数リンク張替実行メッセージをＰＢＸ中継局４０に送信する（ステップＳ４４）。これに応じて、ＰＢＸ中継局４０は複数リンク張替実行メッセージを第２ＰＢＸ装置２０ｂに送信する（ステップＳ４５）。尚、第２ＰＢＸ装置２０ｂからのＯＫメッセージを遅れて受信した第１ＰＢＸ装置２０ａはこのメッセージを破棄する。
【００４０】
該複数リンク張替実行メッセージを受信した第２ＰＢＸ装置２０ｂは、１リンク通話のために捕捉したリソースを解放し（ステップＳ４７）、第２電話端末１０ｂに複数リンクの通話へのパス張替の旨のパスオーダを送信する（ステップＳ４６）。以上の結果、第１電話端末１０ａ及び第２電話端末１０ｂとの間で１リンク通話が中止され、従前の複数リンクの通話が継続される。
【００４１】
図７Ａは、電話交換システムにおいて実行される電話交換方法における変形例であり、異常時の更なる処理手順を示している。本図は、第１ＰＢＸ装置２０ａすなわち１リンク協力局側において、リソース捕捉が不成功に終わった場合の処理手順を示している。本図に示される処理手順について図２に示される構成要素を適宜参照して説明する。
【００４２】
第１電話端末１０ａと第２電話端末１０ｂとは、第１ＰＢＸ装置２０ａ、ＰＢＸ中継局４０及び第２ＰＢＸ装置２０ｂを介して複数リンクの通話を行っている（ステップＳ５１）。複数リンクによる通話は、図１に示した如く従来の呼接続手順を用いて達成され得る。
【００４３】
先ず、第２ＰＢＸ装置２０ｂが、１リンク接続の可能性を判定する（ステップＳ５２）。１リンク接続の可能性があると判定した第２ＰＢＸ装置２０ｂは、次いで、１リンク開始要求メッセージをＰＢＸ中継局４０に送信する（ステップＳ５３）。これに応じて、ＰＢＸ中継局４０は、１リンク開始要求メッセージを第１ＰＢＸ装置２０ａに送信する（ステップＳ５４）。
【００４４】
該１リンク開始要求メッセージの受信に応じて第１ＰＢＸ装置２０ａは、１リンク通話の可能性を判定する（ステップＳ５５）。ここで、圧縮方式の種別を判定が不成功あるいはリソースの捕捉が不成功であった場合、第１ＰＢＸ装置２０ａは、ＮＧメッセージをＰＢＸ中継局４０に送信する（ステップＳ５６）。これに応じて、ＰＢＸ中継局４０は、ＮＧメッセージを第２ＰＢＸ装置２０ｂに送信する（ステップＳ５７）。該ＮＧメッセージを受信した第２ＰＢＸ装置２０ｂは、１リンクの通話を断念して中止する（ステップＳ５８）。以上の結果、第１電話端末１０ａ及び第２電話端末１０ｂとの間では、複数リンク通話が引き続き行われる。
【００４５】
図７Ｂは、電話交換システムにおいて実行される電話交換方法における変形例であり、異常時の更なる処理手順を示している。本図は、第２ＰＢＸ装置２０ａすなわち１リンク要求局側において、リソース捕捉が不成功に終わった場合の処理手順を示している。本図に示される処理手順について図２に示される構成要素を適宜参照して説明する。
【００４６】
第１電話端末１０ａと第２電話端末１０ｂとは、第１ＰＢＸ装置２０ａ、ＰＢＸ中継局４０及び第２ＰＢＸ装置２０ｂを介して複数リンクの通話を行っている（ステップＳ５１）。複数リンクによる通話は、図１に示した如く従来の呼接続手順を用いて達成され得る。
【００４７】
先ず、第２ＰＢＸ装置２０ｂが、１リンク接続の可能性を判定する（ステップ５２）。１リンク接続の可能性があると判定した第２ＰＢＸ装置２０ｂは、次いで、１リンク開始要求メッセージをＰＢＸ中継局４０に送信する（ステップＳ５３）。これに応じて、ＰＢＸ中継局４０は、１リンク開始要求メッセージを第１ＰＢＸ装置２０ａに送信する（ステップＳ５４）。
【００４８】
該１リンク開始要求メッセージの受信に応じて第１ＰＢＸ装置２０ａは、１リンク通話の可能性を判定する（ステップＳ５５）。次いで、第１ＰＢＸ装置２０ａは、圧縮方式の種別を判定し、リソースの捕捉を行う（ステップＳ５６）。次いで、第１ＰＢＸ装置２０ａは、１リンク張替実行メッセージをＰＢＸ中継局４０に送信する（ステップＳ５７）。これに応じて、ＰＢＸ中継局４０は、１リンク張替実行メッセージを第２ＰＢＸ装置２０ｂに送信する（ステップＳ５８）。
【００４９】
該１リンク張替実行メッセージを受信した第２ＰＢＸ装置２０ｂは、１リンクの通話のためのリソースの捕捉を行う（ステップＳ５９）。ここで、第２ＰＢＸ装置２０ｂがリソース捕捉に失敗したとする。この場合、第２ＰＢＸ装置２０ｂは、ＮＧメッセージをＰＢＸ中継局４０に送信する（ステップＳ６０）。これに応じて、ＰＢＸ中継局４０はＮＧメッセージを第１ＰＢＸ装置２０ａに送信する（ステップＳ６１）。該ＮＧメッセージの受信に応じて、第１ＰＢＸ装置２０ａは、１リンクの通話のために捕捉していたリソースを解放する（ステップＳ６２）。以上の結果、第１電話端末１０ａ及び第２電話端末１０ｂとの間では、複数リンク通話が引き続き行われる。
【００５０】
以上の実施例においては、従来の接続方法の如く音声パケット化、圧縮及び伸張を多数回繰り返すことは異なり、音声パケット化、圧縮及び伸張が一回で済む。従って、音声の遅延が少なくなり、音声品質も向上する。また、従来の接続方法では、ＰＢＸ等の局設備が、常に通話信号と制御信号との両方を処理することから、周波数帯域等の資源の制約が大きかったが、本発明によれば、電話端末間で互いに直接に音声パケットを送受信するため、局内の音声パケット数が減りその帯域を有効に使用することが可能となる。
【産業上の利用可能性】
【００５１】
本発明による電話交換方法及びシステムは、ＩＰ−ＰＢＸとＩＰ−ＰＢＸとをＬＡＮ経由で接続する形態に適用することができる。また、本発明は、従来のＩＰ−ＰＢＸにおいて用いられるソフトウェアに１リンク接続への移行プロトコルを実装することで実現可能である。また、対向局が１リンク接続への移行プロトコルを実装していない場合には、従来の接続のまま通信することが可能であり、柔軟性が高い運用形態が実現され得る。
【図面の簡単な説明】
【００５２】
【図１】従来の電話交換方法を示しているシーケンス図である。
【図２】本発明の実施例であり、電話交換システムの構成を示しているブロック図である。
【図３Ａ】電話交換システムにおいて実行される電話交換方法における正常時の処理手順を示しているフローチャートである。
【図３Ｂ】電話交換システムにおいて実行される電話交換方法における正常時の更なる処理手順を示しているフローチャートである。
【図４】図１に示される第１ＰＢＸ装置と第２ＰＢＸ装置間で交換される制御メッセージの構成を説明している説明図である。
【図５】図３Ａに示される処理手順における圧縮方式を決定する処理手順を示しているフローチャートである。
【図６Ａ】電話交換システムにおいて実行される電話交換方法における変形例であり、異常時の処理手順を示しているシーケンス図である。
【図６Ｂ】電話交換システムにおいて実行される電話交換方法における変形例であり、異常時の更なる処理手順を示しているシーケンス図である。
【図７Ａ】電話交換システムにおいて実行される電話交換方法における変形例であり、異常時の更なる処理手順を示しているシーケンス図である。
【図７Ｂ】電話交換システムにおいて実行される電話交換方法における変形例であり、異常時の更なる処理手順を示しているシーケンス図である。
【符号の説明】
【００５３】
１０ａ  第１電話端末
１０ｂ  第２電話端末
１５ａ、１５ｂ  ＬＡＮ
２０ａ  第１ＰＢＸ装置
２０ｂ  第２ＰＢＸ装置
３０ａ、３０ｂ  専用線
４０  ＰＢＸ中継局
５０  ＩＰネットワーク
【図１】
2005318178.tif 000003
【図２】
2005318178.tif 000004
【図３Ａ】
2005318178.tif 000005
【図３Ｂ】
2005318178.tif 000006
【図４】
2005318178.tif 000007
【図５】
2005318178.tif 000008
【図６Ａ】
2005318178.tif 000009
【図６Ｂ】
2005318178.tif 000010
【図７Ａ】
2005318178.tif 000011
【図７Ｂ】
2005318178.tif 000012